(57)【要約】【課題】本考案は、使用者が水を捨てやすくなるとともに、ケース内の空間を有効利用でき、貯水タンクの容量を増やすことが可能な、水を捨てやすく容量が大きい貯水タンクを備えた除湿機を提供する。【解決手段】少なくとも一つのケースと、前記ケース内に配置されるとともに、コンデンサと蒸発器に結合される通風口モジュールと、前記ケース内に収容されるとともに、前記通風口モジュール及びコンデンサ及び蒸発器下方に配置される人体工学に符合する貯水タンクモジュールとからなる。前記ケース内には、前記通風口モジュール、コンデンサ、蒸発器及び前記貯水タンクモジュールの下方に設けられる圧縮機が収容される。前記ケースは、後部ケースと、前記後部ケースに結合される前部ケースとを備える。【選択図】図１
0003176830.tif 000002
【実用新案登録請求の範囲】
【請求項１】
少なくとも一つのケースと、通風口モジュールと、人体工学に符合する貯水タンクモジュールとからなる、水を捨てやすく容量が大きい貯水タンクを備えた除湿機であって、
前記通風口モジュールは、前記ケース内に配置され、前記通風口モジュールは、コンデンサ及び蒸発器に結合され、
前記人体工学に符合する貯水タンクモジュールは、前記ケース内に収容されるとともに、前記通風口モジュール及び前記コンデンサ及び前記蒸発器の下方に配置されることを特徴とする、水を捨てやすく容量が大きい貯水タンクを備えた除湿機。
【請求項２】
前記貯水タンクモジュールは、延伸部を形成し、前記ケースは、後部ケースと、前記後部ケースに結合される前部ケースとを備え、前記ケースには少なくとも一つの通風口が形成されるとともに、前記通風口モジュールは、駆動モジュールに連動して作動し、前記駆動モジュールは、モーターと、前記モーターに連結されて作動するファンとを備え、前記モーターは、スイッチに連結して作動し、前記通風口モジュールは、前記ケースに結合され、前記ケース内には、前記通風口モジュール及び前記貯水タンクモジュール下方に配置される圧縮機が収容され、前記通風口モジュールは、水受盤を介して、前記コンデンサ及び前記蒸発器に結合固定されることを特徴とする、請求項１に記載の水を捨てやすく容量が大きい貯水タンクを備えた除湿機。
【考案の詳細な説明】
【技術分野】
【０００１】
本考案は除湿機の構造に関し、特に機体のサイズを小さくするとともに貯水タンクの容量を増やすことができ、また、圧縮機の作動音量を制御することができるとともに人体工学に符合する、水を捨てやすく容量が大きい貯水タンクを備えた除湿機に関する。
【背景技術】
【０００２】
「除湿機」は、建築物の中で非常に重要な役割を担っている。「除湿機」を建築物の部屋の中に置いて作動させると、建築物内の部屋を除湿することができる。部屋を乾燥させて部屋の内部の湿気が多すぎるのを防ぐことで、建築物が壊れやすくなるのを防ぐことができる。
【０００３】
従来の除湿機には、内部に管路を接続させる方式のタイプがあり、そのタイプは、除湿機から生じた水を貯水タンクまで引き込んで貯水を行うが、貯水タンクの空間は小さいため、水を定期的に捨てなければならない。また、貯水タンクの位置が低すぎるため、使用者が水を捨てる時に不便である。
【０００４】
また、もう一つのタイプの除湿機は、外側に排水機能を接続させるタイプである。それは、外側に掛ける方式の貯水タンクや外側に接続する管路が必要なため、使用する上で非常にめんどうであり、不便である。
【考案の概要】
【考案が解決しようとする課題】
【０００５】
そこで、本考案は、貯水タンクモジュールを、通風口モジュール、コンデンサ、蒸発器及び前記圧縮機の間に設けることにより、使用者が水を捨てやすくなるとともに、ケース内の空間を有効利用でき、貯水タンクの容量を増やすことが可能な、水を捨てやすく容量が大きい貯水タンクを備えた除湿機を提供することを目的とする。
【課題を解決するための手段】
【０００６】
上述の目的を達成するために、本考案による水を捨てやすく容量が大きい貯水タンクを備えた除湿機は、少なくとも一つのケースと、前記ケース内に配置されるとともに、コンデンサと蒸発器に結合される通風口モジュールと、前記ケース内に収容されるとともに、前記通風口モジュール及びコンデンサ及び蒸発器下方に配置される人体工学に符合する貯水タンクモジュールとからなる。前記ケース内には、前記通風口モジュール、コンデンサ、蒸発器及び前記貯水タンクモジュールの下方に設けられる圧縮機が収容される。
【０００７】
前記ケースは、後部ケースと、前記後部ケースに結合される前部ケースとを備え、前記ケースには少なくとも一つの通風口が形成されるとともに、前記通風口モジュールは、駆動モジュールに連動して作動する。前記駆動モジュールは、モーターと、前記モーターに連結されて作動するファンとを備え、前記モーターは、スイッチに連結して作動する。前記通風口モジュールには、コンデンサ及び蒸発器を固定するための水受盤が設けられ、前記コンデンサと前記蒸発器は、前記圧縮機に連結して作動する。
【図面の簡単な説明】
【０００８】
【図１】本考案の実施例１の斜視図である。
【図２】本考案の実施例１の分解図である。
【図３】本考案の実施例１の実施を示した説明図である。
【図４】本考案の実施例２の実施を示した説明図である。
【考案を実施するための形態】
【０００９】
（実施例１）
図１と図２を参照する。図１と図２は、本考案の実施例１の斜視図と分解図である。図から分かるように、本考案による水を捨てやすく容量が大きい貯水タンクを備えた除湿機は、少なくとも一つのケース１０と、通風口モジュール１１と、人体工学に符合する貯水タンクモジュール１２と、からなる。通風口モジュール１１は、ケース１０内に配置される。人体工学に符合する貯水タンクモジュール１２は、ケース１０内に収容されるとともに、通風口モジュール１１下方に配置される。ケース１０は、後部ケース１０１及び後部ケース１０１と結合される前部ケース１０２とを備え、ケース１０には、少なくとも一つの風口１０３が形成される。また、通風口モジュール１１は、駆動モジュール１３と連動して作動し、駆動モジュール１３は、モーター１３１と、モーター１３１に連結して作動するファン１３２とを備える。また、モーター１３１は、スイッチ１４に連結されて作動する。また、ケース１０内には、通風口モジュール１１及び貯水タンクモジュール１２下方に配置される圧縮機１５が収容され、通風口モジュール１１には、コンデンサ１６及び蒸発器１７を固定するための水受盤１１１が設けられる。コンデンサ１６及び蒸発器１７は、圧縮機１５に連結されて作動し、スイッチ１４には、つまみ１８が設けられる。
【００１０】
上述の構造、組合せによる本考案を使用した時の作動動作について以下に説明を行う。図２と図３を参照する。図２は、本考案の実施例１の分解図であり、図３は、本考案の実施例１の実施を示した説明図である。図から分かるように、本考案の主な目的は、貯水タンクモジュール１２が、コンデンサ１６及び蒸発器１７に結合された通風口モジュール１１と圧縮機１５の間に設けられているため、貯水タンクモジュール１２の使用容量を増やすことができるとともに、人体工学に符合させることができるため、水を捨てやすくなる、という点である。図から分かるように、本考案のケース１０頂部内に、前部ケース１０２を結合させた通風口モジュール１１を収容し、通風口モジュール１１上の水受盤１１１に、コンデンサ１６及び蒸発器１７を固定し、さらに、圧縮機１５を前部ケース１０２の底部に取り付け、その構造と後部ケース１０１を結合させると、除湿機の構造が完成する。使用者が本考案を作動させたい時は、圧縮機１５に連結された電源コードをコンセントに差し込み、スイッチ１４に設けられたつまみ１８をオンにすることによって、モジュール１３のモーター１３１及びファン１３２を作動させることができるとともに、ケース１０に形成された通風口１０３を通じて除湿を行うことができる。
【００１１】
（実施例２）
図４を参照する。図４は、本考案の実施例２の実施を示した説明図である。図から分かるように、本考案の実施例２の貯水タンクモジュール１２ａは、延伸部１２１ａを形成する。また、延伸部１２１ａは、能包覆於圧縮機１５ａ，それにより、得以有效提升貯水タンクモジュール１２ａの容量を効果的に増やすことができ、もう一つの実施目的を達成することができる。
【００１２】
全ての図を参照する。本考案を使用すると、従来の技術と比較して、以下の利点が存在する。内部に設けた貯水タンクにより、使用者が水を捨てやすくなるとともに、貯水タンクモジュール１２の容量を増やすことができる。また、圧縮機１５のスペースを大きくすることで、圧縮機１５の音量を制御することができるとともに、運送費を節約することができる。
【符号の説明】
【００１３】
１０    ケース
１０１  後部ケース
１０２  前部ケース
１０３  通風口
１１    通風口モジュール
１１１  水受盤
１２、１２ａ  貯水タンクモジュール
１２１ａ      延伸部
１３          駆動モジュール
１３１        モーター
１３２        ファン
１４          スイッチ
１５、１５ａ  圧縮機
１６          コンデンサ
１７          蒸発器
１８          つまみ
【図１】
0003176830.tif 000003
【図２】
0003176830.tif 000004
【図３】
0003176830.tif 000005
【図４】
0003176830.tif 000006